(57)【要約】【課題】高い断熱性及び気密性が要求される建造物においても天井付設器具の施工性の向上が図れ、かつ、火災時においても面材の脱落を阻止して安全性の向上が図れる天井構造を提供すること。【解決手段】表裏一対の面材４と両面材間に充填された発泡断熱材６とを具備する天井パネルを有する天井構造において、天井パネルは両面材及び発泡断熱材を貫通する貫通孔７が設けられ、貫通孔の上端に、貫通孔を塞ぐ上部塞ぎ材１０が設けられ、貫通孔の下端に、貫通孔を塞ぐと共に、照明器具８０を取り付ける器具取付部２１を有する下部塞ぎ材２０が設けられ、天井パネルの面材と上部塞ぎ材及び下部塞ぎ材との間にそれぞれ断熱パッキン３０Ａ，３０Ｂが介在された状態で、貫通孔に挿通される索条６０によって上部塞ぎ材と下部塞ぎ材を天井パネルの表裏面側に圧接状態に保持する。【選択図】    図２
2017133152.tif 000002
【特許請求の範囲】
【請求項１】
表裏一対の面材と両面材間に充填された発泡断熱材とを具備する天井パネルを有する天井構造であって、
前記天井パネルは前記両面材及び発泡断熱材を貫通する貫通孔が設けられ、前記貫通孔の上端に、貫通孔を塞ぐ上部塞ぎ材が設けられ、前記貫通孔の下端に、貫通孔を塞ぐと共に、天井に付設される器具を取り付ける器具取付部を有する下部塞ぎ材が設けられ、
前記天井パネルの面材と上部塞ぎ材及び下部塞ぎ材との間にそれぞれ断熱パッキンが介在され、
前記貫通孔に挿通される索条によって前記上部塞ぎ材と前記下部塞ぎ材が前記天井パネルの表裏面側に圧接状態に保持される、
ことを特徴とする天井構造。
【請求項２】
請求項１に記載の天井構造において、
前記貫通孔は前記両面材及び発泡断熱材を貫通する筒体にて形成されている、ことを特徴とする天井構造。
【請求項３】
請求項２に記載の天井構造において、
前記筒体内に断熱材が充填されている、ことを特徴とする天井構造。
【請求項４】
請求項１ないし３のいずれかに記載の天井構造において、
前記索条の一端が前記上部塞ぎ材に連結され、他端が前記下部塞ぎ材に系脱可能に係合する保持部材に連結されている、ことを特徴とする天井構造。
【請求項５】
請求項４に記載の天井構造において、
前記保持部材は前記貫通孔内に挿入される凸状挿入部材を設け、前記凸状挿入部材は下端から上端に向かって断面が縮小するテーパ部が設けられている、ことを特徴とする天井構造。
【請求項６】
請求項２又は３に記載の天井構造において、
前記筒体は上下端に前記面材の内面に当接するフランジ部が設けられている、ことを特徴とする天井構造。
【請求項７】
請求項６に記載の天井構造において、
前記フランジ部は前記天井パネルの面外方向に開口する凹溝が設けられ、前記面材は前記凹溝と重なる部分に折曲部が設けられ、前記折曲部が前記凹溝に嵌合されている、ことを特徴とする天井構造。
【請求項８】
請求項２又は３に記載の天井構造において、
前記筒体は上端に前記面材の一方の外面に当接する上フランジ部を有する上部筒半体と、下端に前記面材の他方の外面に当接する下フランジ部を有する下部筒半体とからなる、ことを特徴とする天井構造。
【請求項９】
請求項１ないし８のいずれかに記載の天井構造において、
前記索条に該索条の長さを調節する長さ調節部材が設けられている、ことを特徴とする天井構造。
【請求項１０】
請求項１ないし９のいずれかに記載の天井構造において、
前記下部塞ぎ材は難燃材によって形成されている、ことを特徴とする天井構造。
【発明の詳細な説明】
【技術分野】
【０００１】
この発明は、例えばプレハブ式の冷蔵庫や冷凍庫あるいはクリーンルーム等の建造物の天井構造に関するものである。
【背景技術】
【０００２】
従来、建造物の天井に照明器具や扇風機等の天井に付設される器具（以下に、天井付設器具という）を取り付ける方法としては、床に足場等を設け、足場から天井に照明器具等を取り付ける方法が一般に行われていた。
【０００３】
しかし、前記取付方法は施工性が悪いため、施工性を高めるために、天井の所定位置に貫通孔を設け、貫通孔を挿通するワイヤ等の索条を用いて照明器具等の天井付設器具を吊り上げる技術が知られている（例えば特許文献１，２参照）。
【先行技術文献】
【特許文献】
【０００４】
【特許文献１】特開平６−２３６７０４号公報
【特許文献２】実公昭５９−２２６５６号公報
【発明の概要】
【発明が解決しようとする課題】
【０００５】
しかし、特許文献１，２の技術をプレハブ式の冷蔵庫や冷凍庫あるいはクリーンルーム等の高い断熱性及び気密性を有する建造物の天井へ適用しようとすると、貫通孔により断熱性及び気密性が失われるだけでなく、冷蔵庫や冷凍庫においては、貫通孔付近での結露や凍結の虞がある。
【０００６】
また、冷蔵庫や冷凍庫あるいはクリーンルーム等においては、断熱性を高めるため、表裏一対の面材と、これら両面材の辺部間に介在される枠材と、前記両面材及び枠材にて形成される空間内に注入充填される発泡断熱材と、からなる断熱パネルを有する構造を採用している。このため、火災時における断熱材の消失に伴う面材の脱落防止を考慮することも求められている。
【０００７】
この発明は、前記事情に鑑みてなされたもので、高い断熱性及び気密性が要求される建造物においても天井付設器具の施工性の向上が図れ、かつ、火災時においても面材の脱落を阻止して安全性の向上が図れる天井構造を提供することを目的とする。
【課題を解決するための手段】
【０００８】
前記課題を達成するために、この発明のパネルの天井構造は、表裏一対の面材と両面材間に充填された発泡断熱材とを具備する天井パネルを有する天井構造であって、  前記天井パネルは前記両面材及び発泡断熱材を貫通する貫通孔が設けられ、前記貫通孔の上端に、貫通孔を塞ぐ上部塞ぎ材が設けられ、前記貫通孔の下端に、貫通孔を塞ぐと共に、天井に付設される器具を取り付ける器具取付部を有する下部塞ぎ材が設けられ、  前記天井パネルの面材と上部塞ぎ材及び下部塞ぎ材との間にそれぞれ断熱パッキンが介在され、  前記貫通孔に挿通される索条によって前記上部塞ぎ材と前記下部塞ぎ材が前記天井パネルの表裏面側に圧接状態に保持される、ことを特徴とする（請求項１）。
【０００９】
このように構成することにより、断熱性を有する天井パネルに設けられた貫通孔を挿通する索条によって面材との間に断熱パッキンを介在した上部塞ぎ材と天井付設器具を取り付けた下部塞ぎ材を天井パネルの表裏面側に圧接した状態で天井に天井付設器具を取り付けることができる。また、火災時に発泡断熱材が消失しても、下部塞ぎ材によって面材の脱落を阻止することができる。
【００１０】
この発明において、前記貫通孔は前記両面材及び発泡断熱材を貫通する筒体にて形成されているのが好ましい（請求項２）。この場合、前記筒体内に断熱材が充填されているのが好ましい（請求項３）。
【００１１】
このように構成することにより、天井パネルに設けられた貫通孔を筒体によって確保することができると共に、貫通孔付近の天井パネルの強度低下を防止することができる。この場合、筒体内に断熱材を充填することで、貫通孔による断熱性の低下を防止できる。
【００１２】
この発明において、前記索条の一端が前記上部塞ぎ材に連結され、他端が前記下部塞ぎ材に系脱可能に係合する保持部材に連結されているのが好ましい（請求項４）。
【００１３】
このように構成することにより、下部塞ぎ材に天井付設器具を取り付けた後に、下部塞ぎ材に保持部材を係合させて、下部塞ぎ材及び天井付設器具を天井パネルの下面に取り付けることができる。
【００１４】
また、この発明において、前記保持部材は前記貫通孔（筒体）内に挿入される凸状挿入部材を設け、前記凸状挿入部材は下端から上端に向かって断面が縮小するテーパ部が設けられているのが好ましい（請求項５）。
【００１５】
このように構成することにより、索条によって下部塞ぎ材を吊り上げて下部塞ぎ材を天井パネルに取り付ける際に、下部塞ぎ材の上部に設けられた凸状挿入部材を容易に筒体内に挿入することができる。
【００１６】
また、この発明において、前記筒体は上下端に前記面材の内面に当接するフランジ部が設けられているのが好ましい（請求項６）。この場合、前記フランジ部は前記天井パネルの面外方向に開口する凹溝が設けられ、前記面材は前記凹溝と重なる部分に折曲部が設けられ、前記折曲部が前記凹溝に嵌合されているのが好ましい（請求項７）。
【００１７】
このように構成することにより、貫通孔の周辺部の面材の変形を防止することができると共に、強度を高めることができる。この場合、フランジ部に設けられた凹溝に面材の折曲部を嵌合することで、更に貫通孔の周辺部の面材の変形を防止することができると共に、強度を高めることができる。
【００１８】
また、この発明において、前記筒体を上端に前記面材の一方の外面に当接する上フランジ部を有する上部筒半体と、下端に前記面材の他方の外面に当接する下フランジ部を有する下部筒半体とで構成してもよい（請求項８）。
【００１９】
このように構成することにより、既設の天井パネルに貫通孔を設けた後に、貫通孔の両端外方側から貫通孔内に上部筒半体と下部筒半体を挿入して筒体を取り付けることができる。また、貫通孔の周辺部の面材の変形を防止することができると共に、強度を高めることができる。
【００２０】
また、この発明において、前記索条に該索条の長さを調節する長さ調節部材が設けられているのが好ましい（請求項９）。
【００２１】
このように構成することにより、索条によって天井付設器具を取り付けた下部塞ぎ材を吊り上げて天井パネルに当接した状態で、索条の長さを調節して上部塞ぎ材と下部塞ぎ材を連結することができる。
【００２２】
加えて、この発明において、前記下部塞ぎ材は難燃材によって形成されているのが好ましい（請求項１０）。
【発明の効果】
【００２３】
この発明によれば、前記のように構成されているので、以下のような顕著な効果が得られる。
【００２４】
（１）請求項１，１０に記載の発明によれば、断熱性を有する天井パネルに設けられた貫通孔を挿通する索条によって面材との間に断熱パッキンを介在した上部塞ぎ材と天井付設器具を取り付けた下部塞ぎ材を天井パネルの表裏面側に圧接した状態で天井に天井付設器具を取り付けることができるので、高い断熱性及び気密性が要求される建造物においても天井付設器具の施工性の向上が図れる。また、火災時に発泡断熱材が消失しても、面材の脱落を阻止して安全性の向上が図れる。
【００２５】
（２）請求項２に記載の発明によれば、天井パネルに設けられた貫通孔を筒体によって確保することができると共に、貫通孔付近の天井パネルの強度低下を防止することができるので、前記（１）に加えて更に強度の向上が図れる。この場合、筒体内に断熱材を充填することで、貫通孔による断熱性の低下を防止できるので、更に断熱性の維持が図れる（請求項３）。
【００２６】
（３）請求項４に記載の発明によれば、下部塞ぎ材に天井付設器具を取り付けた後に、下部塞ぎ材に保持部材を係合させて、下部塞ぎ材及び天井付設器具を天井パネルの下面に取り付けることができるので、前記（１）に加えて、更に天井付設器具の施工性の向上が図れる。
【００２７】
（４）請求項５に記載の発明によれば、索条によって下部塞ぎ材を吊り上げて下部塞ぎ材を天井パネルに取り付ける際に、下部塞ぎ材に係合する保持部材に設けられた凸状挿入部材を容易に筒体内に挿入することができるので、前記（１）〜（３）に加えて、更に天井付設器具の設置位置の位置決め及び取付を容易にすることができる。
【００２８】
（５）請求項６に記載の発明によれば、前記（１）〜（４）に加えて、更に貫通孔の周辺部の面材の変形を防止することができると共に、強度を高めることができる。この場合、フランジ部に設けられた凹溝に面材の折曲部を嵌合することで、更に貫通孔の周辺部の面材の変形を防止することができると共に、強度を高めることができる（請求項７）。
【００２９】
（６）請求項８に記載の発明によれば、前記（１）〜（４）に加えて、更に既設の天井パネルに貫通孔を設けた後に、貫通孔の両端外方側から貫通孔内に上部筒半体と下部筒半体を挿入して筒体を取り付けることができる。また、貫通孔の周辺部の面材の変形を防止することができると共に、強度を高めることができる。
【００３０】
（７）請求項９に記載の発明によれば、索条によって天井付設器具を取り付けた下部塞ぎ材を吊り上げて天井パネルに当接した状態で、索条の長さを調節して上部塞ぎ材と下部塞ぎ材を連結することができるので、前記（１）〜（６）に加えて、更に天井付設器具の取付を容易かつ強固にすることができる。
【図面の簡単な説明】
【００３１】
【図１】この発明に係る天井構造の第１実施形態を示す断面図である。
【図２】この発明に係る天井構造の第１実施形態の要部を示す断面図である。
【図３】第１実施形態におけるこの発明の構成部材を示す分解斜視図である。
【図４】この発明における下部塞ぎ材及び天井付設器具の取付前の状態を示す断面図である。
【図５】この発明に係る天井構造の第２実施形態の要部を示す断面図である。
【図６】第２実施形態における上部筒半体と下部筒半体の取付状態を示す斜視図である。
【図７】この発明に係る天井構造の第３実施形態の要部を示す断面図である。
【図８】第３実施形態における下部塞ぎ材及び天井付設器具の取付前の状態を示す断面図である。
【図９】第３実施形態におけるこの発明の構成部材を示す分解斜視図（ａ）及び第３実施形態における保持部材の別の形態を示す斜視図（ｂ）である。
【図１０】第３実施形態における天井付設器具を天井部に取り付ける前の状態を示す概略断面図（ａ）及び天井付設器具を天井部に取り付けた状態を示す概略断面図（ｂ）である。
【発明を実施するための形態】
【００３２】
以下に、この発明を実施するための形態について、添付図面に基づいて詳細に説明する。ここでは、この発明に係る天井構造をプレハブ式の冷蔵庫の天井に照明器具（天井付設器具）を取り付ける場合について説明する。
【００３３】
前記冷蔵庫の天井部は、図１に示すように、図示しない躯体（天井スラブ）から吊り下げられる吊りボルトと釣り金具によって吊持された天井梁１に、連結具２を介して取り付けられる複数の天井パネル３によって構成されている。
【００３４】
この場合、天井パネル３は、図１に示すように、表裏一対の面材４と、これら両面材４の辺部間に介在される第１，第２の枠材５，５Ａのいずれかと、両面材４及び第１，第２の枠材５，５Ａにて形成される空間内に充填される例えば発泡ポリウレタン等の発泡断熱材６とで構成されている。
【００３５】
前記面材４は、例えばアルミニウム合金や鋼材によって一定規格の大きさの薄板状に形成されている。また、第１，第２の枠材５，５Ａは、例えばポリ塩化ビニル製部材にて形成されており、第１の枠材５には嵌合凹条５ａが形成され、第２の枠材５Ａには、嵌合凹条５ａと嵌合可能な嵌合凸条５ｂが形成されている。
【００３６】
次に、この発明に係る天井構造について説明する。
＜第１実施形態＞
図１及び図２に示すように、天井パネル３の適宜位置には両面材４及び発泡断熱材６を貫通する貫通孔７が設けられ、貫通孔７の上端に、貫通孔７を塞ぐ上部塞ぎ材１０が設けられ、貫通孔７の下端に、貫通孔７を塞ぐと共に、天井付設器具である照明器具８０を取り付ける器具取付部２１を有する難燃材からなる下部塞ぎ材２０が設けられている。上部塞ぎ材１０と下部塞ぎ材２０は、貫通孔７に挿通される例えばワイヤにて形成される索条６０によって天井パネル３の表裏面側に圧接状態に保持されている。
【００３７】
また、天井パネル３の面材４と上部塞ぎ材１０及び下部塞ぎ材２０との間にそれぞれ断熱パッキン３０Ａ，３０Ｂが介在されている。この場合、断熱パッキン３０Ａ，３０Ｂは予め上部塞ぎ材１０及び下部塞ぎ材２０に貼着されている。なお、断熱パッキン３０Ａ，３０Ｂは、例えば発泡プラスチック，合成ゴム，熱可塑性エラストマ等にて形成されており、断熱パッキン３０Ａには小径の挿通孔３１が設けられ、断熱パッキン３０Ｂには、大径の挿通孔３２が設けられている。
【００３８】
前記貫通孔７は、例えば塩化ビニル製の筒体４０によって形成されている。この筒体４０内には、下端開口側に若干の隙間４０ａを残して例えば発泡ウレタンやスポンジ等からなる断熱材４１が充填されている。
【００３９】
また、筒体４０の上下端には面材４の内面に当接する例えば塩化ビニル製部材にて形成されるフランジ部４２が設けられている。このフランジ部４２には、天井パネル３の面外方向に開口する凹溝４３が設けられている。この場合、フランジ部４２は、筒体４０に連通すべく筒体４０の開口端に嵌合される断面略ハット状の基部４２ａを有しており、基部４２ａの鍔部４２ｂに凹溝４３が形成されている（図２及び図３参照）。
【００４０】
一方、面材４には、凹溝４３と重なる部分に折曲部４ａが設けられ、折曲部４ａが凹溝４３に嵌合されている。このように面材４の折曲部４ａをフランジ部４２の凹溝４３に嵌合することにより、フランジ部４２が面材４に固定される。
【００４１】
前記筒体４０、断熱材４１及びフランジ部４２は、貫通孔７に予め取り付けられる。すなわち、天井パネル３を作製する際に、面材４と枠材５，５Ａと共に組み付けられた状態、面材４と枠材５，５Ａで形成される空間内に発泡断熱材６が充填され、筒体４０内に断熱材４１が充填される。
【００４２】
上部塞ぎ材１０はアルミ合金製押出形材にて形成されており、対峙する一対の側片１１ａ，１１ｂと、両側片１１ａ，１１ｂを連結する水平連結片１２とからなる断面略Ｈ字状に形成され、下部に断熱パッキン３０Ａの挿入用の凹溝１３が形成されている。なお、水平連結片１２には索条６０を挿通する挿通孔１２ａが設けられている。また、一方の側片１１ａの上部には索条６０の上方側の一端を固定する連結具７０を取り付ける取付孔１４が設けられている。
【００４３】
下部塞ぎ材２０はアルミ合金製押出形材にて形成されており、上下端に内向きの上部水平折曲片２２ａ及び下部水平片２２ｂを有する一対の側片２２，２２と、両側片２２，２２を連結する水平連結片２３とからなる断面略Ｈ字状に形成され、両側片２２，２２の下部水平片２２ｂと水平連結片２３とで器具取付部２１が構成されている。
【００４４】
また、下部塞ぎ材２０の両上部水平片２２ａの下面に係脱可能に当接（係合）する保持部材５３に、筒体４０内に挿入される凸状挿入部材５０が設けられている。この場合、凸状挿入部材５０は下端から上端に向かって断面が縮小するテーパ部５１を有し、先端に円弧部５２を有する略円錐状のステンレス製部材にて形成されており、中心部には先端から下端に挿通孔５０ａが設けられている。
【００４５】
このように形成される凸状挿入部材５０は、例えば円板状の保持部材５３の上面に円柱状のスペーサ５４を介して載置され、凸状挿入部材５０に設けられた挿通孔５０ａとスペーサ５４及び保持部材５３に設けられた挿通孔５４ａ及び５３ａを挿通する索条６０の下方側の端部を、保持部材５３の下面に配置された下部クリップ５５にかしめや溶接等の固定手段で固定することによって取り付けられている。この場合、凸状挿入部材５０とスペーサ５４と保持部材５３は別体に形成されているが、切削加工によって凸状挿入部材５０とスペーサ５４と保持部材５３を一体に形成してもよい。
【００４６】
一方、索条６０は、筒体４０内の断熱材４１に設けられた挿通孔４１ａ、断熱パッキン３０Ａに設けられた小径挿通孔３１、上部塞ぎ材１０の水平連結片１２に設けられた挿通孔１２ａ及び上部塞ぎ材１０の水平連結片１２の上面に配置された上部クリップ５６を挿通して天井パネル３の上方側に延びており、索条６０の長さを調節する長さ調節部材６１を介して連結具７０に連結されている。
【００４７】
なお、上部クリップ５６には索条６０の挿通に摩擦抵抗をもたせてある。これにより、索条６０の下端に下部塞ぎ材２０及び照明器具８０が取り付けられた状態において、下部塞ぎ材２０及び照明器具８０の自重によって急激に下降するのを阻止することができる。
【００４８】
この場合、連結具７０は、索条６０がループ状に掛け渡される断面が円形の略Ｕ字状の連結具本体７１と、連結具本体７１の開口側の両側片部７１ａ，７１ｂの一方の側片部７１ａに設けられた挿入孔（図示せず）に挿入されて、他方の側片部７１ｂに設けられたねじ孔（図示せず）に螺合する固定ねじ７２とで構成されている。
【００４９】
長さ調節部材６１は、索条６０の上方側の端部側と、連結具７０に掛け渡される側との重なり部分に取り付けられており、索条６０に連結される下部塞ぎ材２０に照明器具８０を取り付ける位置と、照明器具８０を取り付けた状態の下部塞ぎ材２０を天井パネル３の下面に上げ下げする際の落下防止ができるように形成されている。この長さ調節部材６１によって下部塞ぎ材２０及び照明器具８０の自重によって急激に下降するのを阻止することができる。
【００５０】
照明器具８０は、下部塞ぎ材２０の器具取付部２１を構成する両下部水平折曲片２２ｂの上下面に当接する上部固定板８１及び下部固定板８２と、下部固定板８２を貫通して上部固定板８１に螺合する固定ねじ８３とを具備している。
【００５１】
次に、天井部に照明器具８０を取り付ける手順の一例について説明する。なお、照明器具８０の取付は天井部の上方（天井裏）の作業者と庫内側の作業者によって行う。
まず、予め下部塞ぎ材２０の器具取付部２１に照明器具８０を取り付けておく。下部塞ぎ材２０の器具取付部２１に照明器具８０を取り付けるには、下部塞ぎ材２０の長手方向の開口端側から両下部水平折曲片２２ｂの上下面に上部固定板８１及び下部固定板８２に挿入し、下部固定板８２を貫通する固定ねじ８３を上部固定板８１に螺合して、下部塞ぎ材２０に照明器具８０を取り付ける。
【００５２】
一方、天井部の上方（天井裏）の作業者によって索条６０の下方側の端部に連結された凸状挿入部材５０を載置した保持部材５３を照明器具８０の取付位置まで吊り下げる。この状態で、庫内側の作業者は、保持部材５３を下部塞ぎ材２０の長手方向の開口端部から下部塞ぎ材２０内に挿入して上部水平折曲片２２ａの下面に当接（係合）させる（図４参照）。
【００５３】
下部塞ぎ材２０に凸状挿入部材５０を載置した保持部材５３を係合させた状態で、索条６０を引き上げ、照明器具８０を取り付けた下部塞ぎ材２０を天井パネル３の下面に吊り上げて、下部塞ぎ材２０を天井パネル３の下面との間に断熱パッキン３０Ｂを介して圧接する。この際、テーパ部５１を有する凸状挿入部材５０が筒体４０内に挿入されるので、照明器具８０の設置位置の位置決めを容易にすることができると共に、取付を容易かつ強固にすることができる。その後、長さ調節部材６１によって索条６０の長さを調節すると共に、索条６０の端部に連結された連結具７０の連結具本体７１を上部塞ぎ材１０の側片１１ａに設けられた取付孔１４に取り付け、固定ねじ７２を連結具本体７１の側片１１ｂに螺合して索条６０を上部塞ぎ材１０に連結する。これにより、照明器具８０の取付が完了する。
【００５４】
前記のように構成された第１実施形態の天井構造によれば、高い断熱性及び気密性が要求される冷蔵庫においても照明器具８０の施工性の向上が図れる。また、下部塞ぎ材２０は難燃材であるアルミニウム合金製部材にて形成されているので、火災時に発泡断熱材６が消失しても、面材の脱落を阻止して安全性の向上が図れる。
【００５５】
また、天井パネル３に設けられた貫通孔７を断熱材４１を充填した筒体４０によって確保することができると共に、貫通孔付近の天井パネルの強度の向上が図れ、かつ、断熱性の維持が図れる。
【００５６】
また、フランジ部４２に設けられた凹溝４３に面材４の折曲部４ａを嵌合することで、貫通孔７の周辺部の面材４の変形を防止することができると共に、強度を高めることができる。
【００５７】
＜第２実施形態＞
第２実施形態は、図５及び図６に示すように、既設の天井パネル３に貫通孔７を設けた後に筒体４０Ａを取り付けて、貫通孔７（筒体４０Ａ）を挿通する索条６０によって照明器具８０を取り付けるようにした場合である。
【００５８】
第２実施形態においては、筒体４０Ａは，上端に面材４の一方の外面に当接する上フランジ部４４を有する上部筒半体４５と、下端に面材４の他方の外面に当接する下フランジ部４６を有する下部筒半体４７とで構成されている。
【００５９】
第２実施形態における筒体４０Ａは、天井パネル３の両面材４及び発泡断熱材６を貫通する貫通孔７を設けた後に、貫通孔７の上方から貫通孔７内に上部筒半体４５を挿入すると共に、貫通孔７の下方から貫通孔７内に下部筒半体４７を挿入して、上部筒半体４５と下部筒半体４７の先端同士を当接した状態で貫通孔７に取り付けられる。
【００６０】
貫通孔７に筒体４０Ａを取り付けた状態では、上部筒半体４５の上フランジ部４４が天井パネル３の上方側の面材４の上面に当接し、下部筒半体４７の下フランジ部４６が天井パネル３の下方側の面材４の下面に当接する。
【００６１】
第２実施形態においては、断熱パッキン３０Ａの下面に、上部筒半体４５の上フランジ部４４が収納可能な凹部３３ａが設けられ、断熱パッキン３０Ｂの上面に、下部筒半体４７の下フランジ部４６が収納可能な凹部３３ｂが設けられている。
【００６２】
なお、第２実施形態において、その他の部分は第１実施形態と同じであるので、同一部分には同一符号を付して説明は省略する。
【００６３】
＜第３実施形態＞
第３実施形態は、天井パネル３に複数（例えば２個）の貫通孔７を設けて、各貫通孔７を挿通する複数（例えば２本）の索条６０によって比較的長尺な照明器具８０の取付を好適にした場合である。
【００６４】
第３実施形態では、第１，２実施形態における凸状挿入部材５０を設けずに、保持部材５３Ａを索条６０の下方端部に連結している。この場合、保持部材５３Ａは、図７ないし図９（ａ）に示すように、下部塞ぎ材２０の両側片２２と両上部水平折曲片２２ａ及び水平連結片２３によって形成される空間２４内に摺動可能に挿入される。
【００６５】
保持部材５３Ａは、アルミ合金製の押出形材にて形成されており、下部塞ぎ材２０の上部水平折曲片２２ａと水平連結片２３の間に挿入可能な一対の挿入案内片５７と、両挿入案内片５７の中間部に連結される矩形板状の水平連結片５８とからなる。
【００６６】
なお、挿入案内片５７に代えて、図９（ｂ）に示すように、水平連結片５９の長手方向の両端部側の両側に回動自在な案内ローラ５７Ａを設けて保持部材５３Ｂを構成してもよい。このように、案内ローラ５７Ａを設けることにより、保持部材５３Ｂの下部塞ぎ材２０の空間２４内への挿入を容易にすることができる。
【００６７】
水平連結片５８の適宜位置には索条６０が挿通可能な挿通孔５９が設けられており、水平連結片５８の下部には挿通孔５９に挿通された索条６０の端部を連結する下部クリップ５６が配置されている。
【００６８】
また、第３実施形態において、天井パネル３と下部塞ぎ材２０との間に介在される断熱パッキン３０Ｃには、索条６０を挿通する小径の挿通孔３４が設けられている。なお、第３実施形態において、その他の部分は第１実施形態と同じであるので、同一部分には同一符号を付して説明は省略する。
【００６９】
第３実施形態において、照明器具８０を取り付ける場合は、保持部材５３Ａを下部塞ぎ材２０の長手方向の開口端部から下部塞ぎ材２０の両側片２２と両上部水平折曲片２２ａ及び水平連結片２３によって形成される空間２４内に挿入して下部塞ぎ材２０に係合させる（図８及び図１０（ａ）参照）。
【００７０】
下部塞ぎ材２０に保持部材５３Ａを係合させた状態で、索条６０を引き上げ、照明器具８０を取り付けた下部塞ぎ材２０を天井パネル３の下面に吊り上げて、下部塞ぎ材２０を天井パネル３の下面との間に断熱パッキン３０Ｃを介して圧接する。その後、長さ調節部材６１によって索条６０の長さを調節すると共に、索条６０の端部に連結された連結具７０の連結具本体７１を上部塞ぎ材１０の側片１１ａに設けられた取付孔１４に取り付け、固定ねじ７２を連結具本体７１の側片１１ｂに螺合して索条６０を上部塞ぎ材１０に連結する（図７及び図１０（ｂ）参照）。これにより、照明器具８０の取付が完了する。
【００７１】
＜その他の実施形態＞
前記実施形態では、天井付設器具が照明器具である場合について説明したが、照明器具８０以外の例えば扇風機や換気扇等の空調器具やスピーカ等の天井付設器具においても同様に取り付けることができる。
【符号の説明】
【００７２】
３  天井パネル
４  面材
４ａ  折曲部
６  発泡断熱材
７  貫通孔
１０  上部塞ぎ材
２０  下部塞ぎ材
２１  器具取付部
３０Ａ，３０Ｂ，３０Ｃ  断熱パッキン
４０，４０Ａ  筒体
４１  断熱材
４２  フランジ部
４３  凹溝
４４  上フランジ部
４５  上部筒半体
４６  下フランジ部
４７  下部筒半体
５０  凸状挿入部材
５１  テーパ部
５３，５３Ａ，５３Ｂ  保持部材
６０  索条
６１  長さ調節部材
８０  照明器具（天井付設器具）
【図１】
2017133152.tif 000003
【図２】
2017133152.tif 000004
【図３】
2017133152.tif 000005
【図４】
2017133152.tif 000006
【図５】
2017133152.tif 000007
【図６】
2017133152.tif 000008
【図７】
2017133152.tif 000009
【図８】
2017133152.tif 000010
【図９】
2017133152.tif 000011
【図１０】
2017133152.tif 000012